(57)【要約】【課題】動きの遅い動画像（又は、静止画像）の品位の低下を抑制する。【解決手段】デジタル放送受信機のＭＰＵ１１は、機能的に、受信部１５を介して受信されたＴＳ（Ｔｒａｎｓｐｏｒｔ  Ｓｔｒｅａｍ）に含まれる映像の情報量である映像ビットレートを求める情報量算出部１１１と、情報量算出部１１１によって求められた映像ビットレートに基づいて、ディザ処理の階調であるディザ階調を設定する階調設定部１１２と、受信部１５を介して受信された映像情報に対して、階調設定部１１２によって設定されたディザ階調のディザ処理を施すディザ処理部１１３と、ディザ処理部１１３によってディザ処理が施された映像情報をＰＤＰ１８３に表示する表示制御部１１４と、を備えている。【選択図】図２
2008294899.tif 000002
【特許請求の範囲】
【請求項１】
デジタルテレビ放送を受信し、ＰＤＰ（Ｐｌａｓｍａ  Ｄｉｓｐｌａｙ  Ｐａｎｅｌ）に表示可能に構成された放送受信装置であって、
予め設定された１のチャンネルの映像情報を受信する受信手段と、
前記受信手段を介して受信されたＴＳ（Ｔｒａｎｓｐｏｒｔ  Ｓｔｒｅａｍ）に含まれる映像の情報量である映像ビットレートを求める情報量算出手段と、
前記情報量算出手段によって求められた映像ビットレートに基づいて、ディザ（Ｄｉｔｈｅｒ）処理の階調であるディザ階調を設定する階調設定手段と、
前記受信手段を介して受信された映像情報に対して、前記階調設定手段によって設定されたディザ階調のディザ処理を施すディザ処理手段と、
前記ディザ処理手段によってディザ処理が施された映像情報を前記ＰＤＰに表示する表示制御手段と、
を備えることを特徴とする放送受信装置。
【請求項２】
前記階調設定手段は、前記情報量算出手段によって求められた映像ビットレートが大きい程、大きいディザ階調を設定することを特徴とする請求項１に記載の放送受信装置。
【請求項３】
前記階調設定手段は、前記情報量算出手段によって求められた映像ビットレートが予め設定された所定の閾値以下である場合に、ディザ階調を零に設定することを特徴とする請求項１又は請求項２に記載の放送受信装置。
【請求項４】
映像ビットレートに対応付けてディザ階調を予め格納する階調記憶手段を備え、
前記階調設定手段は、前記情報量算出手段によって求められた映像ビットレートに対応するディザ階調を前記階調記憶手段から読み出すことによってディザ階調を設定することを特徴とする請求項１〜請求項３のいずれかに記載の放送受信装置。
【発明の詳細な説明】
【技術分野】
【０００１】
本発明は、デジタルテレビ放送を受信し、ＰＤＰ（Ｐｌａｓｍａ  Ｄｉｓｐｌａｙ  Ｐａｎｅｌ）に表示可能に構成されたデジタル放送受信装置に関する。
【背景技術】
【０００２】
近年、デジタルテレビ放送を受信して外部から視認可能に表示するディスプレイとして、ＰＤＰ（Ｐｌａｓｍａ  Ｄｉｓｐｌａｙ  Ｐａｎｅｌ）が普及している。ＰＤＰでは、サブフィールド法を用いて多階調（例えば、２５６階調）表示が行われるが、サブフィールド法を用いることに起因して表示された動画像に擬似輪郭（以下、「動画擬似輪郭」という）が発生し、動画像の品位が低下する。
【０００３】
そこで、動画擬似輪郭の発生を防止するために、種々の方法、装置等が提案されている。例えば、ＰＤＰの第９４階調〜第９８階調を表示する複数の画素について、全階調についてのサブフィールドパターンを記録したルックアップテーブルＬＵＴ１を適用する画素、及び、第９４階調から第９８階調までのサブフィールドパターンを記録したルックアップテーブルＬＵＴ２を適用する画素を、階調値に基づいたランダムディザにより配置する表示装置が開示されている（特許文献１参照）。
【特許文献１】特開２００５−１５６８９０号公報
【発明の開示】
【発明が解決しようとする課題】
【０００４】
しかしながら、上記表示装置等の従来の表示装置では、動画擬似輪郭による動画像の品位の低下は抑制されるものの、動きの遅い動画像（又は、静止画像）についてはランダムディザによって逆に画像の品位が低下する場合がある。
【０００５】
本発明は、上記課題に鑑みてなされたものであって、動きの遅い動画像（又は、静止画像）の品位の低下を抑制することが可能な放送受信装置を提供することを目的としている。
【課題を解決するための手段】
【０００６】
上記目的を達成するために請求項１に記載の放送受信装置は、デジタルテレビ放送を受信し、ＰＤＰ（Ｐｌａｓｍａ  Ｄｉｓｐｌａｙ  Ｐａｎｅｌ）に表示可能に構成された放送受信装置であって、予め設定された１のチャンネルの映像情報を受信する受信手段と、前記受信手段を介して受信されたＴＳ（Ｔｒａｎｓｐｏｒｔ  Ｓｔｒｅａｍ）に含まれる映像の情報量である映像ビットレートを求める情報量算出手段と、前記情報量算出手段によって求められた映像ビットレートに基づいて、ディザ（Ｄｉｔｈｅｒ）処理の階調であるディザ階調を設定する階調設定手段と、前記受信手段を介して受信された映像情報に対して、前記階調設定手段によって設定されたディザ階調のディザ処理を施すディザ処理手段と、前記ディザ処理手段によってディザ処理が施された映像情報を前記ＰＤＰに表示する表示制御手段と、を備えることを特徴としている。
【０００７】
請求項２に記載の放送受信装置は、請求項１に記載の放送受信装置であって、前記階調設定手段が、前記情報量算出手段によって求められた映像ビットレートが大きい程、大きいディザ階調を設定することを特徴としている。
【０００８】
請求項３に記載の放送受信装置は、請求項１又は請求項２に記載の放送受信装置であって、前記階調設定手段が、前記情報量算出手段によって求められた映像ビットレートが予め設定された所定の閾値以下である場合に、ディザ階調を零に設定することを特徴としている。
【０００９】
請求項４に記載の放送受信装置は、請求項１〜請求項３のいずれかに記載の放送受信装置であって、映像ビットレートに対応付けてディザ階調を予め格納する階調記憶手段を備え、前記階調設定手段が、前記情報量算出手段によって求められた映像ビットレートに対応するディザ階調を前記階調記憶手段から読み出すことによってディザ階調を設定することを特徴としている。
【発明の効果】
【００１０】
請求項１に記載の放送受信装置によれば、受信手段によって予め設定された１のチャンネルの映像情報が受信され、受信されたＴＳ（Ｔｒａｎｓｐｏｒｔ  Ｓｔｒｅａｍ）に含まれる映像の情報量である映像ビットレートが求められる。そして、求められた映像ビットレートに基づいて、ディザ（Ｄｉｔｈｅｒ）処理の階調であるディザ階調が設定され、受信手段を介して受信された映像情報に対して、設定されたディザ階調のディザ処理が施され、ディザ処理が施された映像情報がＰＤＰに表示されるため、動きの遅い動画像（又は、静止画像）の品位の低下を抑制することができる。
【００１１】
すなわち、映像の情報量である映像ビットレートに基づいて、ディザ処理の階調であるディザ階調が設定され、受信手段を介して受信された映像情報に対して、設定されたディザ階調のディザ処理が施され、ディザ処理が施された映像情報がＰＤＰに表示されるため、例えば、映像ビットレートが予め設定された所定の閾値以下である場合にディザ階調を零と設定することによって、動きの遅い動画像（又は、静止画像）に対してはディザ処理が施されないので、動きの遅い動画像（又は、静止画像）の品位の低下を抑制することができるのである。
【００１２】
請求項２に記載の放送受信装置によれば、映像の情報量である映像ビットレートが大きい程、大きいディザ階調が設定されるため、動きの遅い動画像（又は、静止画像）の品位の低下を確実に抑制することができる。
【００１３】
すなわち、映像の情報量である映像ビットレートが大きい程、大きいディザ階調が設定されるため、映像ビットレートが小さい場合にはディザ階調が小さく設定され、動きの遅い動画像（又は、静止画像）に対してはディザ処理の影響が小さいので、動きの遅い動画像（又は、静止画像）の品位の低下を確実に抑制することができるのである。
【００１４】
請求項３に記載の放送受信装置によれば、映像の情報量である映像ビットレートが予め設定された所定の閾値以下である場合に、ディザ階調が零に設定されるため、動きの遅い動画像（又は、静止画像）に対してはディザ処理が施されないので、動きの遅い動画像（又は、静止画像）の品位の低下を更に確実に抑制することができる。
【００１５】
請求項４に記載の放送受信装置によれば、階調記憶手段に、映像ビットレートに対応付けてディザ階調が予め格納されており、映像の情報量である映像ビットレートに対応するディザ階調を階調記憶手段から読み出すことによってディザ階調が設定されるため、簡素な構成で動きの遅い動画像（又は、静止画像）の品位の低下を抑制することができる。
【００１６】
すなわち、映像の情報量である映像ビットレートに対応するディザ階調を階調記憶手段から読み出すことによってディザ階調が設定されるため、階調記憶手段に適正なディザ階調を格納しておくことによって適正なディザ階調が容易に設定されるので、簡素な構成で動きの遅い動画像（又は、静止画像）の品位の低下を抑制することができるのである。
【発明を実施するための最良の形態】
【００１７】
以下に本発明の実施形態を、図面を参照しながら説明する。図１は、本発明に係るデジタル放送受信機の構成の一例を示すブロック図である。デジタル放送受信機１（デジタル放送受信装置に相当する）は、デジタルテレビジョン放送を受信し、後述するＰＤＰ１８３及びスピーカ１６３にそれぞれ映像及び音声を出力するものであって、ＭＰＵ１１、ＲＡＭ１２、ＲＯＭ１３、操作部１４、受信部１５、音声出力部１６、ＭＰＥＧ２デコード部１７、及び、画像出力部１８を備えている。
【００１８】
ＭＰＵ（Ｍｉｃｒｏ  Ｐｒｏｃｅｓｓｉｎｇ  Ｕｎｉｔ）１１は、デジタル放送受信機１全体の動作を制御するものである。ＲＡＭ（Ｒａｎｄｏｍ  Ａｃｃｅｓｓ  Ｍｅｍｏｒｙ）１２は、音声情報、動画像情報等の情報を読み書き自在に格納するものである。ＲＯＭ（Ｒｅａｄ  Ｏｎｌｙ  Ｍｅｍｏｒｙ）１３は、ＭＰＵ１１を動作させる制御プログラム等を格納するものである。
【００１９】
操作部１４は、電源のＯＮ、ＯＦＦ操作、選局等の各種操作を受け付けるものである。受信部１５（受信手段に相当する）は、デジタルテレビジョン放送を受信して復調するものであって、アンテナ部１５１、チューナ部１５２、Ａ／Ｄ変換部１５３、復調部１５４、及び、ＴＳデマルチプレクサ１５５を備えている。
【００２０】
アンテナ部１５１は、デジタルテレビジョン放送波を受信するものである。チューナ部１５２は、アンテナ部１５１で受信されたデジタルテレビジョン放送波から、予め設定されたチャンネルの放送を選局するものである。Ａ／Ｄ変換部１５３は、チューナ部１５２からの出力信号（＝アナログ信号）をデジタル情報に変換するものである。復調部１５４は、Ａ／Ｄ変換部１５３からの出力情報を復調するものである。ＴＳ（Ｔｒａｎｓｐｏｒｔ  Ｓｔｒｅａｍ）デマルチプレクサ１５５は、復調部１５４によって復調された出力情報を種別毎に（＝映像情報、音声情報、チャンネル情報等に）分離して出力するものである。
【００２１】
音声出力部１６は、受信部１５によって受信された１のデジタルテレビジョン放送に対応する音声を出力するものであって、Ｄ／Ａ変換部１６１、音声信号出力部１６２、及び、スピーカ１６３を備えている。Ｄ／Ａ変換部１６１は、ＴＳデマルチプレクサ１５５から出力された音声情報（＝デジタル情報）をアナログ信号に変換するものである。音声信号出力部１６２は、Ｄ／Ａ変換部１６１によってアナログ信号に変換された音声信号を出力するものである。スピーカ１６３は、音声信号出力部１６２から出力された音声信号に対応する音声を出力するものである。
【００２２】
ＭＰＥＧ（Ｍｏｔｉｏｎ  Ｐｉｃｔｕｒｅ  Ｅｘｐｅｒｔｓ  Ｇｒｏｕｐ）２デコード部１７は、ＴＳデマルチプレクサ１５５から出力された動画像情報を圧縮前の動画像情報に復号化するものである。
【００２３】
画像出力部１８は、ＭＰＥＧ２デコード部１７によって復号化された動画像情報を出力するものであって、ＮＴＳＣエンコード部１８１、映像信号出力部１８２、及び、ＰＤＰ１８３を備えている。ＮＴＳＣ（Ｎａｔｉｏｎａｌ  Ｔｅｌｅｖｉｓｉｏｎ  Ｓｔａｎｄａｒｄｓ  Ｃｏｍｍｉｔｔｅｅ）エンコード部１８１は、ＭＰＥＧ２デコード部１７によって復号化された動画像情報をＮＴＳＣ方式のテレビジョン信号に変換するものである。映像信号出力部１８２は、ＮＴＳＣエンコード部１８１から出力されたＮＴＳＣ方式のテレビジョン信号をＰＤＰ１８３に対して出力するものである。ＰＤＰ１８３は、映像信号出力部１８２から出力されたテレビジョン信号に対応する動画像を表示するものである。
【００２４】
次に、デジタル放送受信機１が放送を受信する場合の動作について説明する。まず、送信されてきたデジタル放送波がアンテナ部１５１で受信される。操作部１４を介して選局操作が受け付けられた場合には、チューナ部１５２によって受信するトランスポンダ（Ｔｒａｎｓｐｏｎｄｅｒ）の切換が行われる。受信されたデジタル放送波は、Ａ／Ｄ変換部１５３によりデジタル情報に変換され、復調部１５４によって復調される。
【００２５】
なお、デジタル放送波は、送信側（送信局）からＴＳ（Ｔｒａｎｓｐｏｒｔ  Ｓｔｒｅａｍ）パケットとして送信される。このＴＳパケットは、動画像情報、音声情報、チャンネル情報等を含む制御情報からなり、これらの情報がＴＳデマルチプレクサ１５５によって、分離して出力され、ＲＡＭ１２に格納される。そして、ＲＡＭ１２から読み出された音声情報がＤ／Ａ変換部１６１によってアナログ信号に変換され、音声信号出力部１６２を介してスピーカ１６３から音声が出力される。
【００２６】
また、ＲＡＭ１２から読み出された動画像情報がＭＰＥＧ２デコード部１７によって圧縮前の動画像情報に復号化され、ＮＴＳＣエンコード部１８１によってＮＴＳＣ方式のテレビジョン信号に変換されて、映像信号出力部１８２を介してＰＤＰ１８３に動画像が表示される。
【００２７】
図２は、本発明に係るデジタル放送受信機１における主要部の構成の一例を示すブロック図である。図１に示すデジタル放送受信機１のＭＰＵ１１は、機能的に、情報量算出部１１１、階調設定部１１２、ディザ処理部１１３、及び、表示制御部１１４を備え、ＲＡＭ１２は、機能的に、階調記憶部１２１を備えている。
【００２８】
ここでは、ＭＰＵ１１が、図１に示すＲＯＭ１３等に予め格納された制御プログラムを読み出して実行することにより、情報量算出部１１１、階調設定部１１２、ディザ処理部１１３、表示制御部１１４等の機能部として機能すると共に、ＲＡＭ１２を、階調記憶部１２１等の機能部として機能させるものである。
【００２９】
また、ＲＡＭ１２、図１に示すＲＯＭ１３に格納された各種データのうち装着脱可能な記録媒体に格納され得るデータは、例えばハードディスクドライブ、光ディスクドライブ、フレキシブルディスクドライブ、シリコンディスクドライブ、カセット媒体読み取り機等のドライバで読み取り可能にしてもよく、この場合、記録媒体は、例えばハードディスク、光ディスク、フレキシブルディスク、ＣＤ（Ｃｏｍｐａｃｔ  Ｄｉｓｋ）、ＤＶＤ（Ｄｉｇｉｔａｌ  Ｖｅｒｓａｔｉｌｅ  Ｄｉｓｋ）、半導体メモリ等である。
【００３０】
階調記憶部１２１（階調記憶手段に相当する）は、ＴＳに含まれる映像の情報量である映像ビットレートに対応付けてディザ階調を予め格納するものである。なお、階調設定部１１２に格納されたディザ階調は、階調設定部１１２によって読み出されるものである。
【００３１】
情報量算出部１１１（情報量算出手段に相当する）は、受信部１５を介して受信しているＴＳに含まれる映像の情報量である映像ビットレートを求めるものである。ここでは、情報量算出部１１１は、例えば、予め設定された単位時間（例えば、１秒間）あたりの映像ビットレート（ｂｉｔ／ｓｅｃ）を求めるものである。
【００３２】
階調設定部１１２（階調設定手段に相当する）は、情報量算出部１１１によって求められた映像ビットレートに基づいて、ディザ処理の階調であるディザ階調を設定するものである。また、階調設定部１１２は、情報量算出部１１１によって求められた映像ビットレートに対応するディザ階調を階調記憶部１２１から読み出すことによってディザ階調を設定するものである。
【００３３】
具体的には、階調設定部１１２は、情報量算出部１１１によって求められた映像ビットレートが大きい程、大きいディザ階調を設定すると共に、情報量算出部１１１によって求められた映像ビットレートが予め設定された所定の閾値以下である場合に、ディザ階調を零に設定するものである。
【００３４】
ディザ処理部１１３（ディザ処理手段に相当する）は、受信部１５を介して受信された映像情報に対して、階調設定部１１２によって設定されたディザ階調のディザ処理を施すものである。
【００３５】
表示制御部１１４（表示制御手段に相当する）は、ディザ処理部１１３によってディザ処理が施された映像情報をＰＤＰ１８３に表示するものである。
【００３６】
図３は、階調記憶部１２１に映像ビットレートに対応付けて格納されたディザ階調の一例を示すグラフである。図の横軸は、映像ビットレート（Ｍｂｉｔ／ｓｅｃ）であって、縦軸は、ディザ階調である。図に示すように、映像ビットレートが閾値ＳＨ以下である場合には、ディザ階調として零が格納され、映像ビットレートが大きい程、大きいディザ階調が格納されている。例えば、４階調、８階調、１６階調の３段階のディザ階調が格納されている。
【００３７】
図４は、デジタル放送受信機１（主にＭＰＵ１１）の動作の一例を示すフローチャートである。まず、受信部１５によって映像情報が受信される（Ｓ１０１）。そして、情報量算出部１１１によって、受信部１５を介して受信しているＴＳに含まれる映像の情報量である映像ビットレートＢＲが求められる（Ｓ１０３）。次いで、階調設定部１１２によって、ステップＳ１０３において求められた映像ビットレートＢＲが、閾値ＳＨ以下であるか否かの判定が行われる（Ｓ１０５）。
【００３８】
閾値ＳＨ以下ではないと判定された場合（Ｓ１０５でＮＯ）には、階調設定部１１２によって、ステップＳ１０３において求められた映像ビットレートＢＲに対応するディザ階調が階調記憶部１２１から読み出されて設定される（Ｓ１０７）。閾値ＳＨ以下であると判定された場合（Ｓ１０５でＹＥＳ）には、階調設定部１１２によって、ディザ階調が零に設定される（Ｓ１０９）。
【００３９】
ステップＳ１０７の処理が終了した場合、又は、ステップＳ１０９の処理が終了した場合には、ディザ処理部１１３によって、受信部１５を介して受信された映像情報に対して、ステップＳ１０７又はステップＳ１０９において設定されたディザ階調のディザ処理が施される（Ｓ１１１）。そして、表示制御部１１４によって、ステップＳ１１１においてディザ処理が施された映像情報がＰＤＰ１８３に表示され（Ｓ１１３）、処理が終了される。
【００４０】
このようにして、受信部１５によって予め設定された１のチャンネルの映像情報が受信され、受信されたＴＳ（Ｔｒａｎｓｐｏｒｔ  Ｓｔｒｅａｍ）に含まれる映像の情報量である映像ビットレートＢＲが求められる。そして、求められた映像ビットレートＢＲに基づいて、ディザ（Ｄｉｔｈｅｒ）処理の階調であるディザ階調が設定され、受信部１５を介して受信された映像情報に対して、設定されたディザ階調のディザ処理が施され、ディザ処理が施された映像情報がＰＤＰ１８３に表示されるため、動きの遅い動画像（又は、静止画像）の品位の低下を抑制することができる。
【００４１】
すなわち、映像の情報量である映像ビットレートＢＲに基づいて、ディザ処理の階調であるディザ階調が設定され、受信部１５を介して受信された映像情報に対して、設定されたディザ階調のディザ処理が施され、ディザ処理が施された映像情報がＰＤＰ１８３に表示されるため、例えば、映像ビットレートＢＲが予め設定された所定の閾値ＳＨ以下である場合にディザ階調を零と設定することによって、動きの遅い動画像（又は、静止画像）に対してはディザ処理が施されないので、動きの遅い動画像（又は、静止画像）の品位の低下を抑制することができるのである。
【００４２】
また、映像の情報量である映像ビットレートＢＲが大きい程、大きいディザ階調が設定されるため、動きの遅い動画像（又は、静止画像）の品位の低下を確実に抑制することができる。
【００４３】
すなわち、映像の情報量である映像ビットレートＢＲが大きい程、大きいディザ階調が設定されるため、映像ビットレートＢＲが小さい場合にはディザ階調が小さく設定され、動きの遅い動画像（又は、静止画像）に対してはディザ処理の影響が小さいので、動きの遅い動画像（又は、静止画像）の品位の低下を確実に抑制することができるのである。
【００４４】
更に、映像の情報量である映像ビットレートＢＲが予め設定された所定の閾値ＳＨ以下である場合に、ディザ階調が零に設定されるため、動きの遅い動画像（又は、静止画像）に対してはディザ処理が施されないので、動きの遅い動画像（又は、静止画像）の品位の低下を更に確実に抑制することができる。
【００４５】
加えて、階調記憶部１２１に、映像ビットレートＢＲに対応付けてディザ階調が予め格納されており、映像の情報量である映像ビットレートＢＲに対応するディザ階調を階調記憶部１２１から読み出すことによってディザ階調が設定されるため、簡素な構成で動きの遅い動画像（又は、静止画像）の品位の低下を抑制することができる。
【００４６】
すなわち、映像の情報量である映像ビットレートＢＲに対応するディザ階調を階調記憶部１２１から読み出すことによってディザ階調が設定されるため、階調記憶部１２１に適正なディザ階調を格納しておくことによって適正なディザ階調が容易に設定されるので、簡素な構成で動きの遅い動画像（又は、静止画像）の品位の低下を抑制することができるのである。
【００４７】
なお、本発明は、以下の形態にも適用可能である。
（Ａ）本実施形態では、ＰＤＰが、デジタル放送受信機１に配設されたＰＤＰ１８３である場合について説明したが、ＰＤＰが、デジタル放送受信機１とは別の装置として構成されている形態でもよい。例えば、ＰＤＰが、パーソナルコンピュータ等に配設されたＰＤＰである形態でもよい。
【００４８】
（Ｂ）本実施形態では、放送受信装置が、デジタル放送を受信するデジタル放送受信機１である場合について説明したが、放送受信装置が、デジタル放送及びアナログ放送を受信する形態でもよい。
【００４９】
（Ｃ）本実施形態では、ＭＰＵ１１が、情報量算出部１１１、階調設定部１１２、ディザ処理部１１３、表示制御部１１４等の機能部を備える場合について説明したが、情報量算出部１１１、階調設定部１１２、ディザ処理部１１３、及び、表示制御部１１４の内、少なくとも１の機能部が、回路等のハードウェアによって実現されている形態でもよい。
【００５０】
（Ｄ）本実施形態では、階調設定部１１２が、情報量算出部１１１によって求められた映像ビットレートに対応するディザ階調を階調記憶部１２１から読み出すことによってディザ階調を設定する場合について説明したが、階調設定部１１２が、情報量算出部１１１によって求められた映像ビットレートに対応するディザ階調を他の方法によって設定する形態でもよい。例えば、階調設定部１１２が、情報量算出部１１１によって求められた映像ビットレートに対応するディザ階調を予め設定された計算式によって設定する形態でもよい。
【００５１】
（Ｅ）本実施形態では、階調設定部１１２が、情報量算出部１１１によって求められた映像ビットレートが大きい程、大きいディザ階調を設定する場合について説明したが、階調設定部１１２が、情報量算出部１１１によって求められた映像ビットレートが予め設定された所定の閾値ＳＨより大きい場合に、一定のディザ階調を設定する形態でもよい。この場合には、処理が簡略化される。
【図面の簡単な説明】
【００５２】
【図１】は、本発明に係るデジタル放送受信機の構成の一例を示すブロック図である。
【図２】は、本発明に係るデジタル放送受信機における主要部の構成の一例を示すブロック図である。
【図３】は、階調記憶部に映像ビットレートに対応付けて格納されたディザ階調の一例を示すグラフである。
【図４】は、デジタル放送受信機（主にＭＰＵ）の動作の一例を示すフローチャートである。
【符号の説明】
【００５３】
１    デジタル放送受信機（放送受信装置）
１１    ＭＰＵ
１１１    情報量算出部（情報量算出手段）
１１２    階調設定部（階調設定手段）
１１３    ディザ処理部（ディザ処理手段）
１１４    表示制御部（表示制御手段）
１２    ＲＡＭ
１２１    階調記憶部
１５    受信部（受信手段）
１８    画像出力部
１８３    ＰＤＰ
【図１】
2008294899.tif 000003
【図２】
2008294899.tif 000004
【図３】
2008294899.tif 000005
【図４】
2008294899.tif 000006